(57)【要約】【課題】タイマを使用したテレビジョン信号受信機能の自動起動モードを備える場合に、バッテリ残量を考慮した適切な起動制御が行われるようにし、これにより予期しないバッテリ切れの発生を防止する。【解決手段】テレビジョン放送又はＦＭ放送を使用した目覚ましモードが設定された状態で、タイムアップした時点でバッテリ２５の低電圧判定を行い、バッテリ２５の出力電圧値がしきい値未満の場合に、ＴＶ受信機３０を起動せずに代わりにスピーカ２０からアラーム音を出力させると共にディスプレイ２８に低電圧メッセージを表示させるようにしたものである。【選択図】      図１
2007288523.tif 000002
【特許請求の範囲】
【請求項１】
バッテリの出力を電源として使用する携帯端末において、
テレビジョン信号を受信してその映像及び音声を出力するテレビジョン信号受信手段と、
タイマのタイムアップに応じて前記テレビジョン信号受信手段を起動するテレビジョン自動起動モードを設定するためのモード設定手段と、
前記テレビジョン自動起動モードが設定されている状態で前記タイマがタイムアップした場合に、前記バッテリの出力がしきい値以上であるか未満であるかを判定する判定手段と、
前記判定手段により、バッテリの出力がしきい値以上と判定された場合に前記テレビジョン信号受信手段を動作させ、前記バッテリの出力がしきい値未満と判定された場合に前記テレビジョン信号受信手段の動作を制限する制御手段と
を具備することを特徴とする携帯端末。
【請求項２】
前記制御手段は、前記バッテリの出力がしきい値未満と判定された場合に、映像出力動作を停止させて音声出力動作を行わせるように前記テレビジョン信号受信手段を制御することを特徴とする請求項１記載の携帯端末。
【請求項３】
前記制御手段は、前記バッテリの出力がしきい値未満と判定された場合に、前記テレビジョン信号受信手段による映像出力動作及び音声出力動作を停止させ、代わりに予め記憶された画像と鳴音の少なくとも一方を出力させることを特徴とする請求項１記載の携帯端末。
【請求項４】
前記制御手段は、前記バッテリの出力がしきい値未満と判定された場合に、前記テレビジョン信号受信手段による映像出力動作及び音声出力動作を停止させ、代わりに予め記憶された、バッテリ残量不足によりテレビジョン信号受信手段を起動できない旨のメッセージを出力させることを特徴とする請求項１記載の携帯端末。
【請求項５】
前記制御手段は、前記バッテリの出力がしきい値未満と判定された場合に、映像出力動作と音声出力動作とを交互に行わせるように前記テレビジョン信号受信手段を制御することを特徴とする請求項１記載の携帯端末。
【請求項６】
バッテリの出力を電源として使用する携帯端末において、
ラジオ信号を受信してその音声を出力するラジオ信号受信手段と、
タイマのタイムアップに応じて前記ラジオ信号受信手段を起動するラジオ自動起動モードを設定するためのモード設定手段と、
前記ラジオ自動起動モードが設定されている状態で前記タイマがタイムアップした場合に、前記バッテリの出力がしきい値以上であるか未満であるかを判定する判定手段と、
前記判定手段により、バッテリの出力がしきい値以上と判定された場合に前記ラジオ信号受信手段を動作させ、前記バッテリの出力がしきい値未満と判定された場合に前記ラジオ信号受信手段の動作を制限する制御手段と
を具備することを特徴とする携帯端末。
【請求項７】
前記制御手段は、前記バッテリの出力がしきい値未満と判定された場合に、前記ラジオ信号受信手段による音声出力動作を停止させ、代わりに予め記憶された鳴音を出力させることを特徴とする請求項６記載の携帯端末。
【請求項８】
前記制御手段は、前記バッテリの出力がしきい値未満と判定された場合に、前記ラジオ信号受信手段による音声出力動作を停止させ、代わりに予め記憶された、バッテリ残量不足によりラジオ信号受信手段を起動できない旨のメッセージを出力させることを特徴とする請求項６記載の携帯端末。
【発明の詳細な説明】
【技術分野】
【０００１】
この発明は、テレビジョン信号又はラジオ信号を受信する機能を備えた携帯端末に関する。
【背景技術】
【０００２】
近年、携帯電話機やＰＤＡ（Personal Digital Assistant）に代表される携帯端末においては、移動通信用の本来の無線インタフェースに加えて、無線ＬＡＮ（Local Area Network）やBluetooth（登録商標）等の他の異なる無線インタフェースを備えた端末が出現しており、さらにはテレビジョン信号やラジオ信号を受信する機能を備えた端末も製品化されている。
【０００３】
このうち、例えばテレビジョン信号受信機能を備えた携帯端末は、ユーザの手動操作によりテレビジョン信号受信機能を起動させて映像及び音声を表示及び出力させるものが一般的であるが、視聴を希望するテレビジョン番組の開始時刻をタイマにセットして開始時刻になると自動的にテレビジョン信号受信機能を起動させる機能を備えた端末も提案されている。この種の機能を備えた携帯端末であれば、試行錯誤的なチャネル選択操作による無駄な電力消費を抑制して、所望の番組を確実に視聴することが可能になる（例えば、特許文献１を参照。）。
【特許文献１】特開２００５−９４２７３号公報
【発明の開示】
【発明が解決しようとする課題】
【０００４】
ところが、このような従来の携帯端末では、タイマにセットした番組の受信開始時刻になった時点で、たとえバッテリの残量が低下していてもテレビジョン信号受信機能が自動的に起動される。一般に、テレビジョン信号受信機能は移動通信機能等に比べて電力消費量が大きい。このため、テレビジョン信号受信機能の自動起動後に突然バッテリ残量がなくなり、この結果本来の移動通信機能を使用できなくなる不具合が発生することがあり非常に好ましくなかった。
【０００５】
この発明は上記事情に着目してなされたもので、その目的とするところは、タイマを使用したテレビジョン信号又はラジオ信号の受信機能の自動起動モードを備える場合に、バッテリ残量を考慮した適切な起動制御が行われるようにし、これにより予期しないバッテリ切れの発生を防止するようにした携帯端末を提供することにある。
【課題を解決するための手段】
【０００６】
上記目的を達成するためにこの発明の第１の観点は、テレビジョン信号を受信してその映像及び音声を出力するテレビジョン信号受信手段と、タイマのタイムアップに応じて上記テレビジョン信号受信手段を起動するテレビジョン自動起動モードを設定するためのモード設定手段とを備える携帯端末にあって、上記テレビジョン自動起動モードが設定されている状態で上記タイマがタイムアップした場合に、バッテリの出力がしきい値以上であるか未満であるかを判定する。そして、バッテリの出力がしきい値以上と判定された場合に前記テレビジョン信号受信手段を動作させ、一方バッテリの出力がしきい値未満と判定された場合に上記テレビジョン信号受信手段の動作を制限するようにしたものである。
【０００７】
またこの発明の第２の観点は、ラジオ信号を受信してその音声を出力するラジオ信号受信手段と、タイマのタイムアップに応じて上記ラジオ信号受信手段を起動するラジオ自動起動モードを設定するためのモード設定手段とを備える携帯端末にあって、上記ラジオ自動起動モードが設定されている状態で上記タイマがタイムアップした場合に、バッテリの出力がしきい値以上であるか未満であるかを判定する。そして、バッテリの出力がしきい値以上と判定された場合に前記ラジオ信号受信手段を動作させ、一方バッテリの出力がしきい値未満と判定された場合に上記ラジオ信号受信手段の動作を制限するようにしたものである。
【発明の効果】
【０００８】
したがって、タイマがタイムアップした場合に、バッテリの出力がしきい値以上であるか否かが判定され、しきい値未満の場合にテレビジョン信号受信手段又はラジオ信号受信手段の動作が制限される。このため、バッテリの残量が低減した状態ではテレビジョン信号受信手段又はラジオ信号受信手段による消費電力は低減され、これによりバッテリの消耗を抑制することかできる。
【０００９】
すなわち、タイマを使用したテレビジョン信号受信手段又はラジオ信号受信手段の自動起動モードを備える場合に、バッテリ残量を考慮した適切な起動制御が行われ、これにより予期しないバッテリ切れの発生を防止するようにした携帯端末を提供することができる。
【発明を実施するための最良の形態】
【００１０】
以下、図面を参照してこの発明の実施形態を説明する。  
図１はこの発明に係わる携帯端末の一実施形態を示すブロック図である。  
同図において、図示しない基地局から送信された無線信号は、アンテナ１１で受信されたのちアンテナ共用器（ＤＵＰ）１２を介して受信回路（ＲＸ）１３に入力される。受信回路１３は、上記受信された無線信号を周波数シンセサイザ（ＳＹＮ）１４から出力された局部発振信号とミキシングして中間周波信号に周波数変換（ダウンコンバート）する。そして、このダウンコンバートされた中間周波信号を直交復調して受信ベースバンド信号を出力する。なお、上記周波数シンセサイザ１４から発生される局部発振信号の周波数は、制御ユニット２３から出力される制御信号ＳＹＣによって指示される。
【００１１】
上記受信ベースバンド信号はＣＤＭＡ信号処理ユニット１６に入力される。ＣＤＭＡ信号処理ユニット１６はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮伸長処理ユニット（以後コンパンダと称する）１７に入力される。
【００１２】
コンパンダ１７は、上記ＣＤＭＡ信号処理ユニット１６から出力された受信パケットデータを多重分離部によりメディアごとに分離する。そして、この分離されたメディアごとのデータに対しそれぞれ復号処理を行う。例えば、通話モードにおいては、受信パケットデータに含まれている通話音声などのオーディオデータをスピーチコーデックにより復号する。またテレビジョン電話モードのように、受信パケットデータにビデオデータが含まれていれば、このビデオデータをビデオコーデックにより復号する。
【００１３】
上記復号処理により得られたディジタルオーディオ信号はＰＣＭ符号処理ユニット（以後ＰＣＭコーデックと称する）１８に供給される。ＰＣＭコーデック１８は、コンパンダ７から出力されたディジタルオーディオ信号をＰＣＭ復号してアナログオーディオ信号を出力する。このアナログオーディオ信号は、受話増幅器１９にて増幅されたのちスピーカ２０より出力される。
【００１４】
なお、オーディオ再生モードが設定されている場合には、制御ユニット２３は記憶ユニット２４から該当するオーディオコンテンツを読み出し、このオーディオコンテンツを復号処理したのち上記ＰＣＭコーデック１８及び受話増幅器１９を介してスピーカ２０から拡声出力する。
【００１５】
上記コンパンダ１７により復号されたディジタルビデオ信号は、制御ユニット２３に入力される。制御ユニット２３は、上記コンパンダ１７から出力されたディジタルビデオ信号を、ビデオＲＡＭを介してディスプレイ２８に表示する。なお、制御ユニット２３は、受信されたビデオデータばかりでなく、図示しないカメラにより撮像されたビデオデータについてもビデオＲＡＭを介してディスプレイ２８に表示する。
【００１６】
また上記コンパンダ１７は、受信パケットが電子メールの場合には、この電子メールを制御ユニット２３に供給する。制御ユニット２３は、上記電子メールを記憶ユニット２４に保存する。そして、入力デバイス２７においてユーザが行った表示操作に応じて、記憶ユニット２４から上記電子メールを読み出し、この電子メールをディスプレイ２８に表示する。
【００１７】
一方、通話モードにおいて、マイクロホン２１に入力された話者の音声信号は、送話増幅器２２により適正レベルまで増幅されたのち、ＰＣＭコーデック１８によりＰＣＭ符号化処理が施されてディジタルオーディオ信号となり、コンパンダ１７に入力される。また、図示しないカメラから出力されるビデオ信号は、制御ユニット２３によりディジタル化されてコンパンダ１７に入力される。なお、制御ユニット２３において作成された電子メールも、制御ユニット２３からコンパンダ１７に入力される。
【００１８】
コンパンダ１７は、ＰＣＭコーデック１８から出力されたディジタルオーディオ信号より入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット２３から出力されたディジタルビデオ信号を符号化してビデオデータを生成する。そして、これらのオーディオデータ及びビデオデータを多重分離部で所定の伝送フォーマットに従いパケット化し、この送信パケットデータをＣＤＭＡ信号処理ユニット１６へ出力する。なお、制御ユニット２３から電子メールが出力された場合にも、この電子メールを上記送信パケットデータに多重化する。
【００１９】
ＣＤＭＡ信号処理ユニット１６は、上記コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、上記スペクトラム拡散された信号をＱＰＳＫ（Quadrature Phase Shift Keying）方式等のディジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように上記無線信号を高周波増幅する。この増幅された無線信号は、アンテナ共用器１２を介してアンテナ１１に供給され、このアンテナ１１から図示しない基地局へ向けて送信される。
【００２０】
また、この実施形態の携帯電話機はテレビジョン受信機（ＴＶ受信機）３０を備えている。ＴＶ受信機３０は、例えば地上波テレビジョン放送信号をアンテナ３１を介して受信し、受信されたテレビジョン放送信号を復調してディジタル映像信号及び音声信号に変換する。ディジタル映像信号は、制御ユニット２３によりディスプレイ２８に表示される。ディジタル音声信号は、制御ユニット２３からＰＣＭコーデック１８に供給され、このＰＣＭコーデック１８でアナログ音声信号に変換されたのち受話増幅器１９を介してスピーカ２０から出力される。
【００２１】
さらにＴＶ受信機３０はＦＭ放送信号の受信機能も有しており、受信したＦＭ放送信号を復調してディジタル音声信号を出力する。このディジタル音声信号は、上記テレビジョン放送信号から復調したディジタル音声信号と同様に、制御ユニット２３からＰＣＭコーデック１８に供給され、このＰＣＭコーデック１８でアナログ音声信号に変換されたのち受話増幅器１９を介してスピーカ２０から出力される。なお、図示しないイヤホン端子にイヤホンが接続された場合には、上記ＰＣＭコーデック１８から出力された音声信号は上記スピーカ２０に代わってイヤホンから出力される。  
電源回路２６は、バッテリ２５の出力をもとに所定の動作電源電圧Ｖccを生成して各回路部に供給する。バッテリ２５は充電回路２９により充電される。
【００２２】
ところで、制御ユニット２３は例えばマイクロコンピュータ（ＣＰＵ；Central Processing Unit）を備えたもので、この発明に係わる制御機能として、低電圧検出機能２３ａと、モード設定制御機能２３ｂと、ＴＶ起動制御機能２３ｃとを有している。これらの機能はいずれもプログラムを上記マイクロコンピュータに実行させることにより実現される。
【００２３】
低電圧検出機能２３ａは、バッテリ２５の出力電圧値を検出素子を介して検出し、この検出された出力電圧値を予め設定したしきい値と比較する。そして、上記バッテリ２５の出力電圧値がしきい値以上か未満かを判定する。なお、しきい値は例えば３．６５Ｖに設定される。
【００２４】
モード設定制御機能２３ｂは、入力デバイス２７におけるユーザのモード設定操作に応じて、予め用意された複数の動作モードのうちユーザが希望する動作モードを設定する。動作モードは多数あるが、この実施形態の携帯端末はタイマを用いたテレビジョン受信機能のＴＶ自動起動モードを新たに備えている。このテレビジョン受信機能のＴＶ自動起動モードは、以下に示すようにさらに細かい設定が可能である。図２はその設定モードの一例を示したものである。
【００２５】
すなわち、テレビジョン受信機能のＴＶ自動起動モードには、先ずマナーモードと非マナーモードが用意されている。このうち非マナーモードでは、ＴＶ映像をディスプレイ２８に表示させると共にＴＶ音声を予め設定されたアラーム音量に従いスピーカ２０から出力させる。
【００２６】
一方、マナーモードにはさらに、バイブレータを使用するモードと使用しないモードが用意されている。バイブレータを使用しないモードには、サイレントモード、目覚ましモード及びオリジナルマナーモードが用意されている。サイレントモードでは、ＴＶ音声は勿論のことメロディなどの鳴動音を出力させず、ＴＶ映像の表示動作のみを行わせる。目覚ましモードでは、上記非マナーモードと同様に、ＴＶ映像を表示させると共にＴＶ音声をＴＶ自動起動モード設定時にユーザにより予め設定された音量に従い出力させる。オリジナルマナーモードでは、ＴＶ映像を表示させると共にＴＶ音声をオリジナルマナーモード設定時にユーザにより別途設定された音量に調節して出力させるものである。オリジナルマナーモードは、音声を出力する全ての機能に共通かつ優先的に適用されるモードである。したがって、ＴＶ自動起動モードにおいて音量が設定されていても、オリジナルマナーモード設定時にユーザにより設定された音量が優先して適用される。
【００２７】
これに対しバイブレータを使用するモードにも、サイレントモード、目覚ましモード及びオリジナルマナーモードが用意されている。しかし、バイブレータを使用するモードでは、サイレントモード等の全てのモードで、先ず、バイブレータを駆動させる。目覚ましモード及びオリジナルマナーモードでは、同時にデフォルトのアラーム音を出力する。サイレントモードでは、アラーム音を鳴動させない。また、ディスプレイ２８にはタイムアップ画面を表示させる。タイムアップ画面のデータは記憶ユニット２４に予め記憶されている。以降は、バイブレータを使用しないモードと同様の動作を行う。
【００２８】
ＴＶ起動制御機能２３ｃは、上記モード設定制御機能２３ｂによりタイマを用いたＴＶ自動起動モードが設定された場合に、タイマのタイムアップを監視する。なお、タイマとしてはソフトウエアタイマが用いられる。そして、上記タイマがタイムアップした場合に、上記モード設定制御機能２３ｂにより設定されたモードと、上記低電圧検出機能２３ａによるバッテリ２５の低電圧検出結果とに基づいて、ＴＶ受信機３０の起動と、音声及び画像の表示動作を制御する。
【００２９】
次に、以上のように構成された携帯端末による、タイマを用いたＴＶ自動起動モードの動作を説明する。図３及び図４は制御ユニット２３によるその制御手順と制御内容を示すフローチャートである。  
タイマを用いたＴＶ自動起動モードが設定された状態で、制御ユニット２３はタイマのタイムアップを監視する。そして、タイムアップが検出されると、これを目覚まし要求と見なしてステップＳ２１からステップＳ２２に移行し、先ず目覚まし設定の内容を解析する。そして、この解析結果をもとにＴＶ自動起動を使用するＴＶ自動起動モードであるか否かをステップＳ２３で判定する。
【００３０】
この判定の結果、ＴＶ自動起動を使用しないモードだったとすると、制御ユニット２３はステップＳ２４に移行して、設定内容に応じてＴＶ起動以外の手段による動作モードを設定し、この設定された動作モードに従いステップＳ２５において目覚まし動作を実行する。なお、ＴＶ自動起動を使用しない目覚ましモードとしては、例えば予め記憶ユニット２４に記憶しておいたメロディや楽曲をスピーカ２０から拡声出力するものがある。
【００３１】
一方、上記ステップＳ２３による判定の結果、設定中の目覚ましモードがＴＶ自動起動モードだったとする。この場合制御ユニット２３は、ステップＳ２６に移行してここで先ずマナーモードが設定されているか否かを判定する。この判定の結果、マナーモードが設定されていなければ、続いてステップＳ２７によりバッテリ２５の出力電圧値がしきい値以上であるか未満であるかを判定する。そして、バッテリ２５の出力電圧値がしきい値以上であれば、制御ユニット２３はステップＳ２８に移行してここで受信対象として予め設定されたチャネルをＴＶ受信機３０に設定し、ステップＳ２９により受話増幅器１９に対しＴＶ自動起動モード設定時にユーザにより予め設定されたＴＶアラーム音量を設定する。そして、ステップＳ３０によりＴＶ受信機３０を起動し、このＴＶ受信機３０により受信されたテレビジョン放送信号の映像をディスプレイ２８に表示させると共に、音声信号を上記受話増幅器１９を介してスピーカ２０から出力させる。
【００３２】
なお、ＴＶ自動起動モードの自動起動対象がＴＶ放送ではなくＦＭ放送の場合には、制御ユニット２３はＴＶ受信機３０により受信されたＦＭ放送信号の音声をスピーカ２０から出力させる。またそれと共に、ディスプレイ２８に受信対象のＦＭ放送チャネルの周波数を表示させる。
【００３３】
これに対し、上記ステップＳ２７による低電圧判定の結果、バッテリ２５の出力電圧値がしきい値未満だったとする。この場合制御ユニット２３は、ステップＳ３１に移行してスピーカ２０からＴＶ自動起動モード設定時にユーザにより予め設定された音量によりデフォルトアラーム音を出力させ、さらにステップＳ３２により記憶ユニット２４から低電圧メッセージの表示データを読み出してこの表示データをディスプレイ２８に表示させる。図６に、その表示結果の一例を示す。なお、上記低電圧メッセージを表示する際に、制御ユニット２３はディスプレイ２８のバックライトの輝度を、通常時つまりバッテリ２５の出力電圧値がしきい値以上の場合に比べて低く設定し、これによりディスプレイ２８自体の消費電力も抑制する。
【００３４】
そして、この状態で予め設定された時間Ｔ１が経過するか又はこのＴ１が経過する前にユーザが停止操作を行うと、制御ユニット２３は上記デフォルトアラーム音の出力及び低電圧メッセージの表示を終了して待ち受け状態に移行する。  
すなわち、バッテリ２５の出力電圧値がしきい値未満だった場合には、ＴＶ受信機３０は起動されず、代わりにデフォルトアラーム音の出力と低電圧メッセージの表示が行われる。
【００３５】
次に、マナーモードが設定されている場合の動作について説明する。図４は、この場合の制御ユニット２３による制御手順と制御内容を示すフローチャートである。  
マナーモードが設定されていることが上記ステップＳ２６により判定されると、制御ユニット２３はステップＳ４１に移行して、ここで先ずバイブレータを使用するモードが設定されているか否かを判定する。この判定の結果、バイブレータを使用するモードが設定されていなければ、制御ユニット２３は次にステップＳ４２に移行してここでバッテリ２５の出力電圧値がしきい値以上であるか未満であるかを判定する。そして、バッテリ２５の出力電圧値がしきい値以上であれば、制御ユニット２３はステップＳ４３に移行してここで受信対象として予め設定されたチャネルをＴＶ受信機３０に設定し、続いてステップＳ４４においてマナーモードの設定内容を判定する。
【００３６】
この判定の結果、サイレントモードが設定されていれば、制御ユニット２３はステップＳ４５により受話増幅器１９に対し無音量を設定する。そして、ステップＳ４６によりＴＶ受信機３０を起動し、このＴＶ受信機３０により受信されたテレビジョン放送信号の映像をディスプレイ２８に表示させる。すなわち、サイレントモードが設定されている場合には、ＴＶ映像の表示のみが行われる。
【００３７】
一方、目覚ましモードが設定されていると、制御ユニット２３はステップＳ４７により受話増幅器１９にＴＶ自動起動モード設定時にユーザにより予め設定されたＴＶアラーム音量を設定する。そして、ステップＳ４８によりＴＶ受信機３０を起動し、このＴＶ受信機３０により受信されたテレビジョン放送信号の映像をディスプレイ２８に表示させると共に、音声信号を上記受話増幅器１９を介してスピーカ２０から出力させる。  
すなわち、目覚ましモードが設定されている場合には、ＴＶ映像が表示されると共に、ＴＶ音声がＴＶ自動起動モード設定時にユーザにより予め設定された音量に調整されて出力される。
【００３８】
また、オリジナルマナーモードが設定されていたとする。この場合制御ユニット２３は、ステップＳ４９によりオリジナルマナーモード設定時にユーザにより別途設定されたＴＶアラーム音量を受話増幅器１９に設定する。そして、ステップＳ５０によりＴＶ受信機３０を起動し、このＴＶ受信機３０により受信されたテレビジョン放送信号の映像をディスプレイ２８に表示させると共に、音声信号を上記受話増幅器１９を介してスピーカ２０から出力させる。  
すなわち、オリジナルマナーモードが設定されている場合には、ＴＶ映像が表示されると共に、ＴＶ音声がオリジナルマナーモード設定時に予めユーザが任意に設定した音量に調整されて出力される。
【００３９】
ところで、上記ステップＳ４２による低電圧判定の結果、バッテリ２５の出力電圧値がしきい値未満だったとする。この場合制御ユニット２３は、ステップＳ５１によりスピーカ２０からモードに応じた音量に調整されてデフォルトアラーム音を出力させると共に、ステップＳ５２により低電圧メッセージ及びタイムアップ画面を生成してこのメッセージをディスプレイ２８に表示させる。図５及び図６にその表示結果の一例を示す。そして、この状態で予め設定された時間Ｔ１が経過するか又はこのＴ１が経過する前にユーザが停止操作を行うと、制御ユニット２３はステップＳ５４により上記デフォルトアラーム音の出力及び低電圧メッセージ及びタイムアップ画面の表示を終了して待ち受け状態に移行する。  
すなわち、バイブレータを使用しないマナーモードにおいても、バッテリ２５の出力電圧値がしきい値未満だった場合には、ＴＶ受信機３０は起動されず、代わりにデフォルトアラーム音の出力と低電圧メッセージの表示が行われる。
【００４０】
一方、バイブレータを使用するマナーモードが設定されていたとする。この場合制御ユニット２３は、ステップＳ５５に移行してマナーモードの設定内容を判定する。この判定の結果、サイレントモードが設定されていれば、制御ユニット２３はステップＳ５６により図示しないバイブレータを駆動する。
【００４１】
一方、目覚ましモード及びオリジナルマナーモードが設定されていれば、制御ユニット２３はステップＳ５７により図示しないバイブレータを駆動させると共にデフォルトアラーム音を出力する。さらにステップＳ５８において記憶ユニット２４からタイムアップ画面の表示データを読み出し、この表示データをディスプレイ２８に表示させる。デフォルトアラーム音としては、例えば予め記憶ユニット２４に記憶しておいたメロディや楽曲等がある。そして、ステップＳ５９においてこの状態で予め設定された時間Ｔ２が経過するか又はこのＴ２が経過する前にユーザが停止操作を行うと、制御ユニット２３はステップＳ６０において上記バイブレータの駆動、デフォルトアラーム音の出力及びタイムアップ画面の表示を終了して、ステップＳ４２による低電圧判定に移行する。
【００４２】
そして、この低電圧判定の結果、バッテリ２５の出力電圧値がしきい値以上であれば、ステップＳ４３からステップＳ５０により、先に述べたようにマナーモードの設定内容に応じてＴＶ映像の表示及びＴＶ音声の出力が制御される。これに対しバッテリ２５の出力電圧値がしきい値未満であれば、ステップＳ５１からステップＳ５３により、先に述べたようにＴＶ受信機３０は起動されず、デフォルトアラーム音の出力と低電圧メッセージの表示が行われる。
【００４３】
以上述べたようにこの実施形態では、テレビジョン放送又はＦＭ放送を使用した自動起動モードが設定された状態で、タイムアップした時点でバッテリ２５の低電圧判定を行い、バッテリ２５の出力電圧値がしきい値未満の場合に、ＴＶ受信機３０を起動せずに代わりにスピーカ２０からデフォルトアラーム音を出力させると共にディスプレイ２８に低電圧メッセージを表示させるようにしている。
【００４４】
したがって、タイムアップした時点でバッテリ２５の出力がしきい値未満の場合には、ＴＶ受信機３０が起動されないことによりバッテリの消耗が抑制され、これにより予期しないバッテリ切れの発生を防止することができる。
【００４５】
また、低電圧メッセージを表示することで、ＴＶ受信機３０が起動されない理由をユーザに明確に報知することができる。さらに、低電圧メッセージを表示する際に、ディスプレイ２８のバックライトの輝度が通常時の輝度よりも低く設定されるので、ディスプレイ２８自体の消費電力も低下させることが可能となる。
【００４６】
なお、この発明は上記実施形態に限定されるものではない。例えば、前記実施形態では、バッテリ２５の出力電圧値がしきい値未満の場合にＴＶ受信機３０を起動させないようにした。しかしそれに限らず、ＴＶ受信機３０を起動させ、受信されたテレビジョン放送信号の映像信号の表示を行わず音声信号の出力のみを行うように制御してもよい。このようにするとＴＶ受信機３０による消費電力は低減されないが、制御ユニット２３において映像信号の信号処理及び表示処理に要する消費電力と、ディスプレイ２８による消費電力を減らすことができる。
【００４７】
また、前記実施形態ではバッテリ２５の出力電圧値がしきい値未満の場合に、デフォルトアラーム音の出力と低電圧メッセージの表示を並行して同時に行うようにしたが、デフォルトアラーム音の出力と低電圧メッセージの表示を相互に時間を異ならせて交互に行うようにしてもよい。このようにすると、デフォルトアラーム音の出力と低電圧メッセージの表示を同時に行う場合に比べ消費電流の最大値を低く抑えることができ、これにより残量が減少したバッテリ２５の負担を極力軽減することができる。
【００４８】
さらに、前記実施形態ではバッテリ２５の出力電圧値がしきい値未満の場合に予め固定的に用意された低電圧メッセージを表示させるようにした。しかしそれに限らず、ＴＶ受信機３０により過去に受信された任意の映像データを記憶ユニット２４に記憶しておき、この映像データを読み出してディスプレイ２８に表示させるようにしてもよい。また、映像を表示せずに、過去に受信されたＴＶ音声を記憶ユニット２４から読み出してスピーカ２０から出力させるようにしてもよい。
【００４９】
さらには、移動通信機能を使用してウエブサイトにアクセスすることによりＥＰＧ（Electronic Program Guide）情報を取得して記憶ユニット２４に記憶しておき、バッテリ２５の出力電圧値がしきい値未満の場合に、タイムアップ時点で受信すべき番組の情報を上記ＥＰＧ情報から選択的に読み出して表示するようにしてもよい。
【００５０】
さらに、前記実施形態ではアナログテレビジョン放送を受信する場合を例にとって説明したが、地上波ディジタル放送のワンセグメントや、衛星モバイル放送等を受信する場合にも、この発明は適用可能である。また、前記実施形態では、テレビジョン放送受信機能を備えた携帯端末を例にとって説明したが、ＦＭ放送やＡＭ放送等のラジオ放送を受信する機能を備えた携帯端末にも本発明は適用可能であり、その構成は前記実施形態におけるＴＶ受信機をラジオ受信機に置換することにより実現できる。  
その他、携帯端末の種類や構成、制御ユニット２３による制御手順及び制御内容等についても、この発明の要旨を逸脱しない範囲で種々変形して実施できる。
【００５１】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５２】
【図１】この発明に係わる携帯端末の一実施形態を示すブロック図。
【図２】図１に示した携帯端末においてＴＶ自動起動モードの設定内容を示す図。
【図３】図１に示した携帯端末の制御ユニットによる制御手順と制御内容の前半部分を示すフローチャート。
【図４】図１に示した携帯端末の制御ユニットによる制御手順と制御内容の後半部分を示すフローチャート。
【図５】タイムアップ画面の表示例を示す図。
【図６】低電圧メッセージの表示例を示す図。
【符号の説明】
【００５３】
１１…移動通信用のアンテナ、１２…アンテナ共用器（ＤＵＰ）、１３…受信回路（ＲＸ）、１４…周波数シンセサイザ（ＳＹＮ）、１５…送信回路（ＴＸ）、１６…ＣＤＭＡ信号処理ユニット、１７…圧縮伸長処理ユニット（コンパンダ）、１８…ＰＣＭ符号処理ユニット（ＰＣＭコーデック）、１９…受話増幅器、２０…スピーカ、２１…マイクロホン、２２…送話増幅器、２３…制御ユニット、２３ａ…低電圧検出機能、２３ｂ…モード設定制御機能、２３ｃ…ＴＶ起動制御機能、２４…記憶ユニット、２５…バッテリ、２６…電源回路、２７…入力デバイス、２８…ディスプレイ、２９…充電回路、３０…テレビジョン（ＴＶ）受信機、３１…テレビジョン受信用のアンテナ。
【図１】
2007288523.tif 000003
【図２】
2007288523.tif 000004
【図３】
2007288523.tif 000005
【図４】
2007288523.tif 000006
【図５】
2007288523.tif 000007
【図６】
2007288523.tif 000008